(57)【要約】【課題】吸収性シートを破棄する際の尿等の匂いを軽減させるとともに、手が汚れることを防止する。【解決手段】透液性の表面シート２と、不透液性の裏面シート３と、表面シート２と裏面シート３との間に介装される吸収体４と、を有する吸収性シート１において、裏面シート３の吸収体４と反対側に不透液性の防漏シート５が設けられている。防漏シート５は、防漏シート５の周縁部の一部分が裏面シート３の周縁部に固定されてなる折り返し部５１と、裏面シート３から剥離可能な剥離部５２と、を有する。吸収性シート１が使用された後は、折り返し部５１で剥離部５２が折り返されることによって、剥離部５２が表面シート２を覆う。【選択図】図２
2014195413.tif 000002
【特許請求の範囲】
【請求項１】
透液性の表面シートと、不透液性の裏面シートと、前記表面シートと前記裏面シートとの間に介装される吸収体と、を有する吸収性シートにおいて、
前記裏面シートの前記吸収体と反対側に不透液性の防漏シートが設けられており、
前記防漏シートは、
当該防漏シートの周縁部の一部分が前記裏面シートの周縁部に固定されてなる折り返し部と、
前記裏面シートから剥離可能な剥離部と、
を有し、
前記折り返し部で前記剥離部が折り返されることによって、前記剥離部が前記表面シートを覆うことを特徴とする吸収性シート。
【請求項２】
前記剥離部が折り返されていない状態の前記防漏シートの前記裏面シートと反対側の面に消臭剤が塗工されていることを特徴とする請求項１に記載の吸収性シート。
【請求項３】
前記剥離部が折り返されていない状態の前記防漏シートの前記裏面シート側の面に芳香剤が塗工されていることを特徴とする請求項１又は２に記載の吸収性シート。
【請求項４】
前記防漏シートにはミシン目が設けられており、
当該ミシン目を切ることによって、前記剥離部が形成されることを特徴とする請求項１〜３のいずれか一項に記載の吸収性シート。
【請求項５】
前記剥離部は、前記裏面シートと重ねられた状態でエンボス加工が施されることにより、前記裏面シートと圧着されており、
当該圧着されている前記剥離部と前記裏面シートとの面同士を分離させることによって、前記剥離部が前記裏面シートから剥離されることを特徴とする請求項１〜３のいずれか一項に記載の吸収性シート。
【請求項６】
前記剥離部が折り返されていない状態の前記防漏シートの前記裏面シートと反対側の面に粘着剤が設けられていることを特徴とする請求項１〜５のいずれか一項に記載の吸収性シート。
【発明の詳細な説明】
【技術分野】
【０００１】
本発明は、吸収性シートに関する。
【背景技術】
【０００２】
近年、室内で飼われる犬や猫等のペットが排泄した尿等を吸収するための吸収性シートが普及している。吸収性シートとしては、透液性の表面シートと、不透液性の裏面シートと、表面シートと裏面シートとの間に介装される吸収体と、を備える構成が知られている。
【０００３】
例えば、表面シートに香料成分、消臭成分又は殺菌成分を含む薬液が付着しているペット用排泄物吸収シートが開発されている（特許文献１参照）。
【０００４】
吸収性シートは、裏面シート側がペット用トイレの床面に接するように敷かれ、表面シート側から尿等が吸収される。従来、使用済みの吸収性シートは、表面シート側を内側にして丸められてから破棄されている。
【先行技術文献】
【特許文献】
【０００５】
【特許文献１】特開２０１１−４７６９号公報
【発明の概要】
【発明が解決しようとする課題】
【０００６】
しかしながら、吸収性シートを丸めても尿等の匂いが残るという問題があった。
また、ペットの排尿時の位置によっては、吸収性シートを丸める際に、手で誤って尿等を触ってしまい、手が汚れるという問題があった。
【０００７】
本発明は、上記の従来技術における問題に鑑みてなされたものであって、吸収性シートを破棄する際の尿等の匂いを軽減させるとともに、手が汚れることを防止することを課題とする。
【課題を解決するための手段】
【０００８】
上記課題を解決するために、請求項１に記載の発明は、
透液性の表面シートと、不透液性の裏面シートと、前記表面シートと前記裏面シートとの間に介装される吸収体と、を有する吸収性シートにおいて、
前記裏面シートの前記吸収体と反対側に不透液性の防漏シートが設けられており、
前記防漏シートは、
当該防漏シートの周縁部の一部分が前記裏面シートの周縁部に固定されてなる折り返し部と、
前記裏面シートから剥離可能な剥離部と、
を有し、
前記折り返し部で前記剥離部が折り返されることによって、前記剥離部が前記表面シートを覆うことを特徴とする。
【０００９】
請求項２に記載の発明は、請求項１に記載の吸収性シートにおいて、
前記剥離部が折り返されていない状態の前記防漏シートの前記裏面シートと反対側の面に消臭剤が塗工されていることを特徴とする。
【００１０】
請求項３に記載の発明は、請求項１又は２に記載の吸収性シートにおいて、
前記剥離部が折り返されていない状態の前記防漏シートの前記裏面シート側の面に芳香剤が塗工されていることを特徴とする。
【００１１】
請求項４に記載の発明は、請求項１〜３のいずれか一項に記載の吸収性シートにおいて、
前記防漏シートにはミシン目が設けられており、
当該ミシン目を切ることによって、前記剥離部が形成されることを特徴とする。
【００１２】
請求項５に記載の発明は、請求項１〜３のいずれか一項に記載の吸収性シートにおいて、
前記剥離部は、前記裏面シートと重ねられた状態でエンボス加工が施されることにより、前記裏面シートと圧着されており、
当該圧着されている前記剥離部と前記裏面シートとの面同士を分離させることによって、前記剥離部が前記裏面シートから剥離されることを特徴とする。
【００１３】
請求項６に記載の発明は、請求項１〜５のいずれか一項に記載の吸収性シートにおいて、
前記剥離部が折り返されていない状態の前記防漏シートの前記裏面シートと反対側の面に粘着剤が設けられていることを特徴とする。
【発明の効果】
【００１４】
本発明によれば、吸収性シートが使用された後、裏面シートから剥離された剥離部が折り返し部で折り返されることによって、剥離部が表面シートを覆うので、吸収性シートを破棄する際の尿等の匂いを軽減させるとともに、手が汚れることを防止することができる。
【図面の簡単な説明】
【００１５】
【図１】（ａ）は、第１の実施の形態における吸収性シートの平面図である。（ｂ）は、第１の実施の形態における吸収性シートの底面図である。
【図２】（ａ）は、Ａ−Ａに沿った吸収性シートの断面図である。（ｂ）は、使用後の吸収性シートの断面図である。
【図３】（ａ）は、第２の実施の形態における吸収性シートの断面図である。（ｂ）は、使用後の吸収性シートの断面図である。
【図４】（ａ）は、第３の実施の形態における吸収性シートの断面図である。（ｂ）は、使用後の吸収性シートの断面図である。
【発明を実施するための形態】
【００１６】
以下、図面を参照して、本発明に係る吸収性シートの実施の形態を詳細に説明する。ただし、発明の範囲は、図示例に限定されない。
【００１７】
［第１の実施の形態］
まず、本発明の第１の実施の形態について説明する。
図１（ａ）は、第１の実施の形態における吸収性シート１の平面図であり、図１（ｂ）は、吸収性シート１の底面図である。吸収性シート１は、平面視略矩形状に形成されている。吸収性シート１は、ペット用トイレの床面に敷いて使用され、ペットにより排泄された排泄物の水分を表面からシート内に吸収する。
【００１８】
図２（ａ）は、図１（ａ）のＡ−Ａに沿った吸収性シート１の断面図である。
吸収性シート１は、尿等の液体を速やかに透過させる透液性の表面シート２、不透液性の裏面シート３、これら表面シート２と裏面シート３との間に介装される吸収体４、裏面シート３の吸収体４と反対側に設けられた不透液性の防漏シート５等を備えて構成されている。
【００１９】
表面シート２は、有孔又は無孔の不織布や、多孔性プラスチックシート等により形成されている。不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、又はこれらを組み合わせた方法が挙げられる。
表面シート２に多数の透孔を形成した場合には、尿等の液体がより速やかに吸収されるようになり、ドライタッチ性に優れたものとなる。
【００２０】
裏面シート３は、不透液性の素材であれば、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シート等を用いることができる。また、熱や圧力をかけることで繊維の空隙を小さくしたり、高吸水性樹脂又は疎水性樹脂や撥水剤を塗布したりして、プラスチックフィルムを用いずに不透液性としたシートを裏面シート３として用いることができる。
【００２１】
吸収性シート１の周縁部において、表面シート２と裏面シート３とは、ホットメルト接着剤、ヒートシール、超音波シール等により貼り合わされている。
【００２２】
吸収体４は、尿等の水様成分を吸収するものであり、例えば、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。また、繊維集合体に、高吸水性樹脂（ＳＡＰ；Super Absorbent Polymer）を組み合わせて吸収体を構成することもできる。
高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨潤性ポリマーを部分架橋したもの、又はイソブチレンとマレイン酸との共重合体等が好適に用いられる。
さらに、消臭機能を持たせるため、吸収体４に消臭剤を入れてもよい。消臭剤としては、例えば、活性炭や天然鉱物（例えば、ベンナイト、カオリナイト、カネマイト等）、合成無機物（ゼオライト、アモルファスシリカ等）を用いることができる。
【００２３】
防漏シート５は、不透液性の素材であれば、特に限定されるものではない。防漏シート５として、裏面シート３と同様の素材を用いることができる。防漏シート５は、１層で構成されていてもよいし、２層を貼り合わせたものでもよい。
【００２４】
防漏シート５は、防漏シート５の周縁部の一部分が裏面シート３の周縁部に固定されてなる折り返し部５１と、裏面シート３から剥離可能な剥離部５２と、を有する。
折り返し部５１は、防漏シート５の周縁部の１辺に沿って設けられており、ヒートシールにより裏面シート３に接着されている。
剥離可能とは、剥離部５２と裏面シート３とが重ねられた状態から剥離部５２と裏面シート３の面同士が離れた状態へと移行可能であればよい。
【００２５】
図１（ｂ）に示すように、防漏シート５の周縁部には、折り返し部５１を除く３辺にミシン目５３ａ，５３ｂ，５３ｃが設けられている。防漏シート５は、ミシン目５３ａ，５３ｂ，５３ｃに沿ったミシン目５３ａ，５３ｂ，５３ｃの外側の領域において、ホットメルト接着剤、ヒートシール、超音波シール等により裏面シート３と貼り合わされている。
本実施の形態では、ミシン目５３ａ，５３ｂ，５３ｃを切ることによって、剥離部５２が形成される。すなわち、防漏シート５において、ミシン目５３ａ，５３ｂ，５３ｃと折り返し部５１とで囲まれた領域が剥離部５２である。
【００２６】
吸収性シート１が使用された後は、防漏シート５の周縁部の３辺がミシン目５３ａ，５３ｂ，５３ｃの位置で切られ、剥離部５２が裏面シート３から剥離される。そして、図２（ｂ）に示すように、折り返し部５１で剥離部５２が折り返されることによって、剥離部５２が表面シート２を覆う。なお、図２（ｂ）において、防漏シート５のミシン目５３ｂの外側であった部分は図示を省略している。
【００２７】
剥離部５２が折り返されていない状態（図２（ａ）参照）の防漏シート５の裏面シート３と反対側の面５ａには、消臭剤が塗工されている。消臭剤の塗工方法としては、コーター塗工、消臭剤を内包するマイクロカプセルの樹脂への練り込み、スプレー塗布（その後乾燥させる。）、接着等が挙げられる。
【００２８】
消臭剤としては、悪臭成分を消臭剤の成分と化学反応させ、無臭の成分にする化学的消臭法、悪臭成分を抑え込んだり、包み込んだりする物質を用いる物理的消臭法（吸着、包摂）、悪臭を芳香成分で包み込む感覚的消臭法（芳香成分を強くして悪臭を感じなくさせるマスキング法、悪臭の元となる化学成分を良い香りの元となる構成成分に取り込むペアリング法）等を利用したものが挙げられる。
化学的消臭法を利用した消臭剤としては、例えば、ポリフェノール、重曹、クエン酸、シクロデキストリン、金属キレート化合物を組み合わせたもの、無機系化合物（二酸化チタン、二酸化マンガン、酸化亜鉛、その他金属酸化物）等が用いられる。
物理的消臭法を利用した消臭剤としては、例えば、備長炭、活性炭、ゼオライト、シリカゲルのような多孔質の物質等が用いられる。
【００２９】
マイクロカプセルとは、大きさ（直径）が数μmから数千μmの範囲にある微小容器の総称であり、極小のカプセル内に薬剤等を内包した物である。マイクロカプセルには、物理的なものと（水）溶解的なものがある。
【００３０】
剥離部５２が折り返されていない状態（図２（ａ）参照）の防漏シート５の裏面シート３側の面５ｂには、芳香剤が塗工されている。芳香剤の塗工方法としては、コーター塗工、芳香剤を内包するマイクロカプセルの樹脂への練り込み、スプレー塗布（その後乾燥させる。）、接着等が挙げられる。
【００３１】
芳香剤としては、果物や花卉、樹木等の匂いで悪臭をマスキングするもの、単純に香りを付けるものがあり、化学合成による香料や天然成分を用いたものがある。
【００３２】
吸収性シート１が使用された後、図２（ｂ）に示すように、吸収性シート１の使用中（図２（ａ）参照）に防漏シート５の裏面シート３と反対側であった面５ａが、表面シート２を覆うことになる。吸収性シート１は、表面シート２が剥離部５２で覆われた状態で、防漏シート５の面５ｂを内側にして丸められ、破棄される。
【００３３】
第１の実施の形態における吸収性シート１によれば、吸収性シート１が使用された後、裏面シート３から剥離された剥離部５２が折り返し部５１で折り返されることによって、剥離部５２が表面シート２を覆うので、吸収性シート１を破棄する際の尿等の匂いを軽減させることができる。
また、剥離部５２で表面シート２を覆うことで、手で誤って尿等を触るおそれを軽減させることができ、手が汚れることを防止することができる。したがって、吸収性シート１が使用された後は、手を汚すことなく、吸収性シート１を丸めて破棄することができる。
【００３４】
また、防漏シート５の面５ａに消臭剤が塗工されているので、吸収性シート１の使用時も破棄時も消臭効果を発揮することができる。特に、吸収性シート１の使用後は、防漏シート５の面５ａで表面シート２を覆うので、表面シート２から蒸発する尿等の匂いを軽減させることができる。
【００３５】
また、防漏シート５の面５ｂに芳香剤が塗工されているので、吸収性シート１を使用している間は、芳香剤による芳香を防漏シート５と裏面シート３との間に閉じ込めたままの状態に保つことができる。また、吸収性シート１の使用後は、剥離部５２を表面シート２に覆い被せることで防漏シート５の面５ｂが吸収性シート１の最も外側になるので、ここで初めて芳香剤の効果が発揮され、表面シート２から蒸発する尿等の匂いを軽減させることができる。
【００３６】
また、防漏シート５の周縁部の折り返し部５１を除く３辺にミシン目５３ａ，５３ｂ，５３ｃが設けられているので、剥離部５２を裏面シート３から剥離しやすい。
【００３７】
［第２の実施の形態］
次に、本発明の第２の実施の形態について説明する。
図３（ａ）は、第２の実施の形態における吸収性シート１０の使用前の断面図であり、図３（ｂ）は、使用後の吸収性シート１０の断面図である。
【００３８】
吸収性シート１０は、粘着剤６が設けられている点が第１の実施の形態における吸収性シート１と異なるが、その他の構成については吸収性シート１と同様であるため、同様の構成については、吸収性シート１と同じ符号を付し、説明を省略する。また、吸収性シート１０においても、吸収性シート１と同様の位置にミシン目５３ａ，５３ｂ，５３ｃが設けられており、防漏シート５は、ミシン目５３ａ，５３ｂ，５３ｃに沿ったミシン目５３ａ，５３ｂ，５３ｃの外側の領域において、裏面シート３と貼り合わされている。以下、第２の実施の形態に特徴的な構成について説明する。
【００３９】
図３（ａ）に示すように、吸収性シート１０において、剥離部５２が折り返されていない状態の防漏シート５の裏面シート３と反対側の面５ａには、粘着剤６が設けられている。粘着剤６としては、粘着テープやシール等が用いられる。吸収性シート１０は、第１の実施の形態における吸収性シート１と同様、平面視略矩形状に形成されており、粘着剤６は、防漏シート５の四隅に設けられている。折り返し部５１側に設けられる粘着剤６は、防漏シート５の折り返し部５１よりも内側にあった方がよい。
吸収性シート１０を使用する前、粘着剤６は剥離紙７で覆われている。吸収性シート１０を使用する際には、剥離紙７を剥がして、吸収性シート１０をペット用トイレの床面に固定する。
【００４０】
吸収性シート１０が使用された後は、防漏シート５の周縁部の３辺がミシン目５３ａ，５３ｂ，５３ｃの位置で切られ、剥離部５２が裏面シート３から剥離される。そして、図３（ｂ）に示すように、折り返し部５１で剥離部５２が折り返されることによって、剥離部５２が表面シート２を覆う。防漏シート５の面５ａに設けられた粘着剤６によって、剥離部５２は表面シート２に接着される。なお、図３（ｂ）において、防漏シート５のミシン目５３ｂの外側であった部分は図示を省略している。
【００４１】
第２の実施の形態における吸収性シート１０によれば、第１の実施の形態と同様の効果に加え、防漏シート５の面５ａに粘着剤６が設けられているので、吸収性シート１０の使用中は、防漏シート５とペット用トイレの床面とが接着される。これにより、吸収性シート１０のズレを防ぐことができる。
吸収性シート１０が使用された後、剥離部５２を表面シート２側に被せると、粘着剤６により剥離部５２と表面シート２とが接着されるため、剥離部５２が表面シート２から剥がれにくくなり、表面シート２からの尿等の匂いをより閉じ込めることができる。
【００４２】
［第３の実施の形態］
次に、本発明の第３の実施の形態について説明する。
図４（ａ）は、第３の実施の形態における吸収性シート２０の使用前の断面図であり、図４（ｂ）は、使用後の吸収性シート２０の断面図である。
【００４３】
吸収性シート２０は、折り返し部５１ａ，５１ｂが２箇所設けられている点及び粘着剤６が設けられている点が第１の実施の形態における吸収性シート１と異なるが、その他の構成については吸収性シート１と同様であるため、同様の構成については、吸収性シート１と同じ符号を付し、説明を省略する。以下、第３の実施の形態に特徴的な構成について説明する。
【００４４】
吸収性シート２０は、第１の実施の形態における吸収性シート１と同様、平面視略矩形状に形成されている。
図４（ａ）に示すように、吸収性シート２０には、防漏シート５の周縁部の一部分として、防漏シート５の周縁部の互いに平行な２辺に沿って折り返し部５１ａ，５１ｂが設けられている。折り返し部５１ａ，５１ｂは、裏面シート３の周縁部に固定されている。折り返し部５１ａ，５１ｂは、それぞれ、図１（ｂ）に示す折り返し部５１、ミシン目５３ｂに相当する位置に設けられている。
【００４５】
また、図示は省略するが、防漏シート５の周縁部の折り返し部５１ａ，５１ｂを除く２辺（折り返し部５１ａ，５１ｂの延在方向と直交する方向に沿った２辺）には、ミシン目が設けられている。これらのミシン目は、図１（ｂ）に示すミシン目５３ａ，５３ｃに相当する位置に設けられている。防漏シート５の周縁部のミシン目が設けられている２辺は、ミシン目の外側の領域において、ホットメルト接着剤、ヒートシール、超音波シール等により裏面シート３と貼り合わされている。
【００４６】
また、防漏シート５には、防漏シート５の幅方向（図４（ａ）において紙面と直交する方向）に亘ってミシン目５３ｄが設けられている。すなわち、防漏シート５には、上述したミシン目と合わせて、Ｈ字状にミシン目が設けられている。
図４（ａ）は、折り返し部５１ａ，５１ｂからの距離が略等しい位置にミシン目５３ｄが設けられている場合の例であるが、折り返し部５１ａ，５１ｂのいずれか一方により近い位置にミシン目５３ｄが設けられていてもよい。
【００４７】
吸収性シート２０において、剥離部５２が折り返されていない状態の防漏シート５の裏面シート３と反対側の面５ａのミシン目５３ｄの近傍には、粘着剤６が設けられている。粘着剤６としては、粘着テープやシール等が用いられる。
吸収性シート２０を使用する前、粘着剤６は剥離紙７で覆われている。吸収性シート２０を使用する際には、剥離紙７を剥がして、吸収性シート２０をペット用トイレの床面に固定する。
【００４８】
吸収性シート２０が使用された後は、防漏シート５の周縁部の２辺に設けられたミシン目及びミシン目５３ｄの位置で防漏シート５が切られ、剥離部５２が裏面シート３から剥離される。そして、図４（ｂ）に示すように、折り返し部５１ａ，５１ｂが設けられている２辺に沿ったフラップ部（表面シート２と裏面シート３とが貼り合わされた部分）が吸収体４側に乗り上げるように立ち上げられるとともに、折り返し部５１ａ，５１ｂで剥離部５２がそれぞれ折り返されることによって、剥離部５２が表面シート２を覆う。フラップ部が立ち上がることで、剥離部５２の端部（ミシン目５３ｄが切られることにより形成された端部）同士は、表面シート２側で重なり合う。剥離部５２の端部には、面５ａに粘着剤６が設けられているので、先に表面シート２に被せられた剥離部５２と表面シート２とが接着されるとともに、先に表面シート２に被せられた剥離部５２と後から表面シート２に被せられた剥離部５２とが接着される。
なお、吸収性シート２０の使用中は、粘着剤６を剥離紙７で覆ったままにしておき、剥離部５２で表面シート２を覆う際に、剥離紙７を剥がすこととしてもよい。
【００４９】
第３の実施の形態における吸収性シート２０によれば、第１の実施の形態と同様、吸収性シート２０が使用された後、裏面シート３から剥離された剥離部５２が折り返し部５１ａ，５１ｂで折り返されることによって、剥離部５２が表面シート２を覆うので、吸収性シート２０を破棄する際の尿等の匂いを軽減させることができる。
また、剥離部５２で表面シート２を覆うことで、手で誤って尿等を触るおそれを軽減させることができ、手が汚れることを防止することができる。
【００５０】
また、折り返し部５１ａ，５１ｂが設けられている２辺に沿ったフラップ部を立ち上げつつ、剥離部５２を折り返し部５１ａ，５１ｂで折り返すことで、剥離部５２の端部同士を重ね合わせることができる。さらに、防漏シート５の面５ａに粘着剤６が設けられているので、剥離部５２の端部同士が重なった状態を保つことができ、表面シート２からの尿等の匂いをより閉じ込めることができる。
【００５１】
なお、第３の実施の形態においても、剥離部５２が折り返されていない状態（図４（ａ）参照）の防漏シート５の裏面シート３と反対側の面５ａの四隅にも粘着剤が設けられていてもよい。
【００５２】
上記各実施の形態における記述は、本発明に係る吸収性シートの例であり、これに限定されるものではない。吸収性シートを構成する各部の細部構成に関しても本発明の趣旨を逸脱することのない範囲で適宜変更可能である。
【００５３】
例えば、第１の実施の形態では、防漏シート５の周縁部の折り返し部５１を除く３辺にミシン目５３ａ，５３ｂ，５３ｃが設けられている場合について説明したが、防漏シート５の周縁部の折り返し部５１を除く３辺に沿って、裏面シート３の周縁部が重ねられた状態でエンボス加工が施されることにより、防漏シート５の周縁部の３辺が裏面シート３の周縁部と圧着されていることとしてもよい。この場合、折り返し部５１を境界として防漏シート５のエンボス加工が施されている側の部分が剥離部となる。このような吸収性シートが使用された後、エンボス加工により生成された凹凸部分において、圧着されている剥離部と裏面シート３との面同士を分離させることによって、防漏シート５の剥離部を裏面シート３から剥離させる。そして、剥離部を折り返し部５１で折り返し、表面シート２に覆い被せる。なお、エンボス加工により圧着される部分は、防漏シート５の周縁部だけでなく、防漏シート５の折り返し部５１を除く全面であってもよい。
同様に、第２の実施の形態及び第３の実施の形態においても、防漏シート５の剥離部と裏面シート３とが重ねられた状態でエンボス加工が施されることにより、剥離部が裏面シート３と圧着されていることとしてもよい。
【００５４】
また、第１〜第３の実施の形態において、防漏シート５にミシン目が設けられていることに代えて、防漏シート５の剥離部が剥離可能な強度で裏面シート３に接着されていてもよい。剥離部の全面が剥離可能な強度で裏面シート３に接着されていてもよいし、剥離部の一部分（例えば、第１の実施の形態では、折り返し部５１と逆側の端部）が裏面シート３に留められていてもよい。
【００５５】
また、裏面シート３が複数の層から構成されている場合に、裏面シート３の最外層（最も表面シート２から離れた層）を防漏シート５として利用してもよい。この場合、従来の吸収性シートの構成を大きく変えることなく、本発明を実現することができる。
【００５６】
また、上記各実施の形態では、折り返し部５１，５１ａ，５１ｂが直線状に形成されている場合について説明したが、折り返し部が点状に形成されていてもよい。なお、点状といっても、防漏シート５が周縁部の所定の面積を有する点状の領域で裏面シート３の周縁部と固定されていればよい。防漏シート５のこの点状の領域を除く部分が剥離部となる。
【符号の説明】
【００５７】
１  吸収性シート
２  表面シート
３  裏面シート
４  吸収体
５  防漏シート
６  粘着剤
１０  吸収性シート
２０  吸収性シート
５１  折り返し部
５１ａ，５１ｂ  折り返し部
５２  剥離部
５３ａ，５３ｂ，５３ｃ  ミシン目
５３ｄ  ミシン目
【図１】
2014195413.tif 000003
【図２】
2014195413.tif 000004
【図３】
2014195413.tif 000005
【図４】
2014195413.tif 000006